(57)【要約】【課題】簡易な方法にて、再度報知情報を確認（再出力）する。【解決手段】車両が通行する路または駐車場またはその近傍に設置され報知情報を無線通信にて送信する路側無線装置１００と、該路側無線装置１００から無線通信にて報知情報を受信し該報知情報を出力する上記車両に搭載された発話型車載器２００と、路側無線装置１００と各種情報のやり取りを行う管理サーバ３００と、を有する発話型道路交通情報提供システムにおいて、発話型車載器２００は、所定の操作部と制御部を備え、制御部は、操作部の所定の操作に基づき、路側無線装置１００より供給される報知情報の音声による発話出力を最初から再度出力する。【選択図】図１
2009151716.tif 000002
【特許請求の範囲】
【請求項１】
車両が通行する路または駐車場またはその近傍に設置された路側無線装置から無線通信にて報知情報を受信し該報知情報を出力する道路交通情報提供装置であって、
上記道路交通情報提供装置は、所定の操作部と、制御部を備え、
上記制御部は、他の報知情報の発話出力が行われていない場合において、上記操作部の所定の操作に基づき、上記路側無線装置より供給される報知情報の音声による発話出力を最初から再度出力する、
ことを特徴とする道路交通情報提供装置。
【請求項２】
車両が通行する路または駐車場またはその近傍に設置された路側無線装置から無線通信にて報知情報を受信し該報知情報を出力する道路交通情報提供装置であって、
上記路側無線装置とのリンクが成立したタイミングにて、上記報知情報を上記路側無線装置より受信する通信部と、
上記報知情報を記憶する記憶部と、
上記報知情報を音声情報に変換して発話出力する音声処理部と、
必要に応じて上記発話出力の出力制御を行うための操作部と、
上記操作部の操作がなされない場合には、上記記憶部に記憶された上記報知情報を優先度にしたがって読み出し上記音声処理部に転送し、上記操作部の操作がなされた場合には、上記操作がなされたときに上記発話出力の行われていた上記報知情報の最初の部分から該報知情報を再度上記音声処理部に転送する報知情報転送手段と、
を備えることを特徴とする道路交通情報提供装置。
【請求項３】
車両が通行する路または駐車場またはその近傍に設置された路側無線装置から無線通信にて報知情報を受信し該報知情報を出力する道路交通情報提供装置であって、
上記路側無線装置とのリンクが成立したタイミングにて、上記報知情報を上記路側無線装置より受信する通信部と、
上記報知情報を記憶する記憶部と、
上記報知情報を音声情報に変換して発話出力する音声処理部と、
必要に応じて上記発話出力の出力制御を行うための操作部と、
上記操作部の操作がなされない場合には、上記記憶部に記憶された上記報知情報を優先度にしたがって読み出し上記音声処理部に転送し、上記操作部の操作がなされた場合には、上記音声処理部に発話出力停止信号を送信した後、上記操作がなされたときに上記発話出力の行われていた上記報知情報の最初の部分から該報知情報を再度上記音声処理部に転送する報知情報転送手段と、
を備えることを特徴とする道路交通情報提供装置。
【請求項４】
前記操作部にて所定の操作がなされた場合であって、前記通信部にて他の路側無線装置より前記報知情報の一つである災害情報を受信していなければ、前記報知情報転送手段は、前記音声処理部に前記発話出力停止信号を送信した後、上記操作がなされたときに前記発話出力の行われていた前記報知情報の最初の部分から該報知情報を再度前記音声処理部に転送することを特徴とする請求項３に記載の道路交通情報提供装置。
【請求項５】
前記記憶部に記憶された全ての前記報知情報の発話出力終了後、所定時間経過した後に、前記操作部にて所定の操作がなされた場合、前記報知情報転送手段は、前記記憶部に記憶された全ての前記報知情報のうち、該報知情報の一つである安全運転支援情報を除いた前記報知情報を、優先度に応じて読み出し、前記音声処理部に転送することを特徴とする請求項３に記載の道路交通情報提供装置。
【請求項６】
優先度にしたがって所定の前記報知情報を発話出力している間に、前記操作部にて所定の操作がなされた場合であって、前記記憶部に発話出力の行われていない安全運転支援情報が記憶されていた場合、前記報知情報転送手段は、前記音声処理部に前記発話出力停止信号を送信した後、上記安全運転支援情報を前記音声処理部に転送し、その後、上記中断した報知情報を最初から上記音声処理部に転送することを特徴とする請求項３に記載の道路交通情報提供装置。
【請求項７】
優先度にしたがって所定の前記報知情報を発話出力している間に、前記操作部にて所定の操作がなされた場合であって、他の路側無線装置より災害情報および／または安全運転支援情報を受信した場合、前記報知情報転送手段は、前記音声処理部に前記発話出力停止信号を送信した後、上記災害情報および／または安全運転支援情報を前記音声処理部に転送し、その後、上記中断した報知情報を最初から前記音声処理部に転送することを特徴とする請求項３に記載の道路交通情報提供装置。
【請求項８】
車両が通行する路または駐車場またはその近傍に設置され報知情報を無線通信にて送信する路側無線装置と、該路側無線装置から無線通信にて報知情報を受信し該報知情報を出力する上記車両に搭載された車載器と、上記路側無線装置と各種情報のやり取りを行う管理サーバと、を有する道路交通情報提供システムにおいて、
上記車載器は、所定の操作部と、制御部を備え、
上記制御部は、上記操作部の所定の操作に基づき、上記路側無線装置より供給される報知情報の音声による発話出力を最初から再度出力する、
ことを特徴とする道路交通情報提供システム。
【請求項９】
車両が通行する路または駐車場またはその近傍に設置された路側無線装置から無線通信にて道路交通情報提供装置が報知情報を受信し該報知情報を出力する道路交通情報提供方法であって、
上記道路交通情報提供装置と上記路側無線装置間のリンクが成立したタイミングにて、上記報知情報を上記路側無線装置より受信する受信ステップと、
上記報知情報を記憶する記憶ステップと、
上記報知情報を音声情報に変換して発話出力する音声処理ステップと、
必要に応じて上記発話出力の出力制御を行うための操作ステップと、
上記操作がなされない場合には、上記記憶された上記報知情報を該報知情報の優先度に応じて読み出し発話出力し、上記操作がなされた場合には、該操作がなされたときに上記発話出力の行われていた上記報知情報の最初の部分から該報知情報を再度発話出力する報知情報転送ステップと、
を含むことを特徴とする道路交通情報提供方法。
【請求項１０】
コンピュータを、
道路交通情報提供装置と路側無線装置間のリンクが成立したタイミングにて、報知情報を上記路側無線装置より受信する通信部、
上記報知情報を記憶する記憶部、
上記報知情報を音声情報に変換して発話出力する音声処理部、
必要に応じて上記発話出力の出力制御を行うための操作部、
上記操作部の操作がなされない場合には、上記記憶部に記憶された上記報知情報を該報知情報の優先度に応じて読み出し上記音声処理部に転送し、上記操作部の操作がなされた場合には、上記音声処理部に発話出力停止信号を送信した後、上記操作がなされたときに上記発話出力の行われていた上記報知情報の最初の部分から該報知情報を再度上記音声処理部に転送する報知情報転送手段、
として機能させることを特徴とするプログラム。
【発明の詳細な説明】
【技術分野】
【０００１】
本発明は、道路交通情報提供システム、道路交通情報提供装置、道路交通情報提供方法およびプログラムに関する。
【背景技術】
【０００２】
報知情報（道路交通情報等）を、適切な内容で且つ適時に提供することによって交通状況を的確に伝えることは、ドライバが車両を快適に、且つ、安全に運転するために有用である。道路の混雑状況、事故の発生又は工事の施行による道路の規制状況、路面状況、及び気象状況（例えば、気温及び視界）は、典型的な有用な道路交通情報である。
【０００３】
道路交通情報提供システムのひとつとして、近年、ＥＴＣ車載器を載せた車両の運転者等に道路交通情報を提供するＤＳＲＣ（Dedicated Short Range Communications）を利用した道路交通情報提供システムが開発されている。（例えば、特許文献１参照）。
【０００４】
【特許文献１】特開２００５−２５８７２６号公報
【発明の開示】
【発明が解決しようとする課題】
【０００５】
ところで、ＤＳＲＣ道路交通情報提供システムにおいて使用される車載器側の機器は、大きく分けて、ナビゲーション装置と連携したり、組み込まれたりするＩＴＳ車載器（ＩＴＳ車載器＜一体型＞）と、従来のラジオ装置のように音声を出力するのみとなる発話型車載器（ＩＴＳ車載器＜発話型＞）の２つの種類に分かれると考えられる。なお、発話型車載器は、トラック、商用車、軽自動車等のナビゲーション装置の搭載されていない車両等に搭載されるものと考えられる。
【０００６】
車載器としてＩＴＳ車載器を採用するＤＳＲＣ道路交通情報提供システムにおいては、路側無線装置から報知情報を受信した場合に、車載器側はナビゲーション装置が取得した位置情報等を考慮し、所定のタイミングにてその受信した報知情報を出力することができる。
【０００７】
一方で、車載器として発話型車載器を採用するＤＳＲＣ道路交通情報提供システムにおいては、ナビゲーション装置と連携することを想定していないため、位置情報や走行方位情報等が取得できない。したがって、車載器として発話型車載器を採用するＤＳＲＣ道路交通情報提供システムでは、位置情報等を考慮せず、受信した報知情報の優先度等を判別し、出力（発話出力）の順序を決める必要が生ずる。
【０００８】
このように、ＩＴＳ車載器においては、ナビゲーション装置と連携して、様々な高度な制御が可能である。これに対し、発話型車載器では、そのような制御ができないため、運転に集中しているときに、急に重要な報知情報が出力されることが生じ、重要な報知情報を聞き逃してしまうという危険性が大きくなる。
【０００９】
本発明は、係る問題に鑑みてなされたもので、簡易な方法にて、再度報知情報を確認（再出力）することが可能な、道路交通情報提供システム、道路交通情報提供装置、道路交通情報提供方法およびプログラムを提供することを目的とする。
【課題を解決するための手段】
【００１０】
上述の目的を達成するため、本発明の道路交通情報提供装置は、車両が通行する路または駐車場またはその近傍に設置された路側無線装置から無線通信にて報知情報を受信し該報知情報を出力する道路交通情報提供装置であって、道路交通情報提供装置は、所定の操作部と、制御部を備え、制御部は、他の報知情報の発話出力が行われていない場合において、操作部の所定の操作に基づき、路側無線装置より供給される報知情報の音声による発話出力を最初から再度出力する、制御を行うものである。
【００１１】
また、本発明の道路交通情報提供装置は、車両が通行する路または駐車場またはその近傍に設置された路側無線装置から無線通信にて報知情報を受信し該報知情報を出力する道路交通情報提供装置であって、路側無線装置とのリンクが成立したタイミングにて、報知情報を路側無線装置より受信する通信部と、報知情報を記憶する記憶部と、報知情報を音声情報に変換して発話出力する音声処理部と、必要に応じて上記発話出力の出力制御を行うための操作部と、操作部の操作がなされない場合には、記憶部に記憶された報知情報を優先度にしたがって読み出し音声処理部に転送し、操作部の操作がなされた場合には、操作がなされたときに発話出力の行われていた報知情報の最初の部分から該報知情報を再度音声処理部に転送する報知情報転送手段と、を備える。
【００１２】
また、本発明の道路交通情報提供装置は、車両が通行する路または駐車場またはその近傍に設置された路側無線装置から無線通信にて報知情報を受信し該報知情報を出力する道路交通情報提供装置であって、路側無線装置とのリンクが成立したタイミングにて、報知情報を路側無線装置より受信する通信部と、報知情報を記憶する記憶部と、報知情報を音声情報に変換して発話出力する音声処理部と、必要に応じて上記発話出力の出力制御を行うための操作部と、操作部の操作がなされない場合には、記憶部に記憶された報知情報を優先度にしたがって読み出し音声処理部に転送し、操作部の操作がなされた場合には、音声処理部に発話出力停止信号を送信した後、操作がなされたときに発話出力の行われていた報知情報の最初の部分から該報知情報を再度音声処理部に転送する報知情報転送手段と、を備える。
【００１３】
また、本発明の道路交通情報提供装置は、上述の発明において、操作部にて所定の操作がなされた場合であって、通信部にて他の路側無線装置より報知情報の一つである災害情報を受信していなければ、報知情報転送手段は、音声処理部に発話出力停止信号を送信した後、操作がなされたときに発話出力の行われていた報知情報の最初の部分から該報知情報を再度音声処理部に転送する処理を行うものである。
【００１４】
また、本発明の道路交通情報提供装置は、上述の発明において、記憶部に記憶された全ての報知情報の発話出力終了後、所定時間経過した後に、操作部にて所定の操作がなされた場合、報知情報転送手段は、記憶部に記憶された全ての報知情報のうち、該報知情報の一つである安全運転支援情報を除いた報知情報を、優先度に応じて読み出し、音声処理部に転送する処理を行うものである。
【００１５】
また、本発明の道路交通情報提供装置は、上述の発明において、優先度にしたがって所定の報知情報を発話出力している間に、操作部にて所定の操作がなされた場合であって、記憶部に発話出力の行われていない安全運転支援情報が記憶されていた場合、報知情報転送手段は、音声処理部に発話出力停止信号を送信した後、安全運転支援情報を音声処理部に転送し、その後、中断した報知情報を最初から音声処理部に転送する処理を行うものである。
【００１６】
また、本発明の道路交通情報提供装置は、上述の発明において、優先度にしたがって所定の報知情報を発話出力している間に、操作部にて所定の操作がなされた場合であって、他の路側無線装置より災害情報および／または安全運転支援情報を受信した場合、報知情報転送手段は、音声処理部に発話出力停止信号を送信した後、災害情報および／または安全運転支援情報を音声処理部に転送し、その後、中断した報知情報を最初から音声処理部に転送する処理を行うものである。
【００１７】
また、本発明の道路交通情報提供システムは、車両が通行する路または駐車場またはその近傍に設置され報知情報を無線通信にて送信する路側無線装置と、該路側無線装置から無線通信にて報知情報を受信し該報知情報を出力する車両に搭載された車載器と、路側無線装置と各種情報のやり取りを行う管理サーバと、を有する道路交通情報提供システムにおいて、車載器は、所定の操作部と、制御部を備え、制御部は、操作部の所定の操作に基づき、路側無線装置より供給される報知情報の音声による発話出力を最初から再度出力する、制御を行うものである。
【００１８】
また、本発明の道路交通情報提供方法は、車両が通行する路または駐車場またはその近傍に設置された路側無線装置から無線通信にて道路交通情報提供装置が報知情報を受信し該報知情報を出力する道路交通情報提供方法であって、道路交通情報提供装置と路側無線装置間のリンクが成立したタイミングにて、報知情報を路側無線装置より受信する受信ステップと、報知情報を記憶する記憶ステップと、報知情報を音声情報に変換して発話出力する音声処理ステップと、必要に応じて上記発話出力の出力制御を行うための操作ステップと、操作がなされない場合には、記憶された報知情報を該報知情報の優先度に応じて読み出し発話出力し、操作がなされた場合には、該操作がなされたときに発話出力の行われていた報知情報の最初の部分から該報知情報を再度発話出力する報知情報転送ステップと、を含むものである。
【００１９】
また、本発明の道路交通情報提供プログラムは、コンピュータを、道路交通情報提供装置と路側無線装置間のリンクが成立したタイミングにて、報知情報を路側無線装置より受信する通信部、報知情報を記憶する記憶部、報知情報を音声情報に変換して発話出力する音声処理部、必要に応じて発話出力の出力制御を行うための操作部、操作部の操作がなされない場合には、記憶部に記憶された報知情報を該報知情報の優先度に応じて読み出し音声処理部に転送し、操作部の操作がなされた場合には、音声処理部に発話出力停止信号を送信した後、操作がなされたときに発話出力の行われていた報知情報の最初の部分から該報知情報を再度音声処理部に転送する報知情報転送手段、として機能させるものである。
【発明の効果】
【００２０】
本発明によれば、簡易な方法にて、再度報知情報を確認（出力）することが可能となる。
【発明を実施するための最良の形態】
【００２１】
以下、本発明の実施の形態に係る道路交通情報提供システムについて、ＩＴＳ（Intelligent Transport Systems）システムを例に説明する。また、本実施の形態では、ナビゲーション装置（ポータブル型の簡易ナビゲーション装置を含む）と接続されていない発話型車載器（自車両の位置情報データや方向データを入手できない装置）を例に説明するが、ポータブル型の簡易ナビゲーション装置等と接続された発話型車載器およびナビゲーション装置と接続されたＩＴＳ車載器等にも適用可能なことは勿論である。
【００２２】
ＩＴＳシステムは、図１に示すように、道路、駐車場などの車両が通行する場所の近傍に配置された路側無線装置１００と、車両に搭載される発話型道路交通情報提供装置となる発話型車載器２００と、路側無線装置１００と情報を送受信する情報提供サーバ（管理サーバ）３００とを有する。なお、路側無線装置１００は、発話型車載器２００用として専用に設けても良いし、ナビゲーション装置を兼ねるＩＴＳ車載器用および発話型車載器２００用の両用として設けても良い。
【００２３】
ここで発話型車載器２００は、路側無線装置１００との間でリンクが成立したタイミング（路側無線装置１００の通信範囲内に入っている間）にて通信を行って、車両の乗車者に道路交通情報（報知情報）等を提供したり、車両ＩＤの一種である発話型車載器ＩＤ（単に車載器ＩＤとも称する：詳細は後述）等を路側無線装置１００に送信する発話型道路交通情報提供装置である。情報提供サーバ３００は、種々の情報を生成して路側無線装置１００に供給する。
【００２４】
図１に示す各路側無線装置１００は、いわゆる電波ビーコン、光ビーコン等から構成され、道路近傍や駐車場等に配置され、交通情報配信等を、近傍（路側無線装置１００の通信圏内：数ｍ〜３０ｍ）を通過する車両に搭載された発話型車載器２００に対して、ＤＳＲＣ（Dedicated Short Range Communication：専用狭域通信）方式によって報知情報を送信（ダウンリンク）すると共に、発話型車載器２００からの送信データ（アップリンクデータ：車載器ＩＤ等）を受信し、情報提供サーバ３００に供給する。
【００２５】
各路側無線装置１００は、情報提供サーバ３００から送信されてくるデータであって発話型車載器２００への送信対象となる報知情報（ＴＴＳ用中間言語：詳細後述）を発話型車載器２００へ無線送信する。
【００２６】
路側無線装置１００は、このような機能を達成するため、図２に示すように、対車載器送受信手段である対車載器無線通信部１０１、対サーバ通信制御手段（送受信機能を含む）である対サーバ通信制御部１０２、記憶装置１０３、制御部１０４、ＲＯＭ（Read Only Memory）１０５、ＲＡＭ（Random Access Memory）１０６、および、システムバス１０７を備える。
【００２７】
対車載器無線通信部１０１は、電波信号、光信号等のいずれか１つまたは複数の無線信号により近傍（路側無線装置１００の通信圏内）を通過する車両に設置された発話型車載器２００との間で情報を交信する。対車載器無線通信部１０１は、例えば、情報提供サーバ３００より報知情報の出力が有った場合には該報知情報（路側無線装置ＩＤを含む）を発話型車載器２００に送信する。また、対車載器無線通信部１０１は、発話型車載器２００から送信されてくる車載器ＩＤ等の情報を受信する。
【００２８】
なお、車載器ＩＤは、車載器毎に設定されているＩＤであって、認証機関によって車両と対応付けられて登録される。すなわち、車載器ＩＤは、車両を識別するためのＩＤの一種であるといえる。このため、車載器ＩＤからは、個人情報を取得することが可能である。
【００２９】
対サーバ通信制御部１０２は、ＩＴＳ通信網ＮＷ２を介して情報提供サーバ３００に接続され、情報提供サーバ３００から送信される交通情報等の報知情報を受信し、記憶装置１０３に保存する制御を行う。また、対サーバ通信制御部１０２は、自機（路側無線装置１００）が取得した交通情報や車載器ＩＤ等を、情報提供サーバ３００に提供する制御を行う。
【００３０】
記憶装置１０３は、情報提供サーバ３００から受信した交通情報や、自機固有の交通情報や車載器ＩＤ等を格納する。また、記憶装置１０３は、発話型車載器２００からアップリンクされた情報を格納する。
【００３１】
制御部１０４は、プロセッサ等から構成され、路側無線装置１００全体の動作を制御する。特に、制御部１０４は、記憶装置１０３に格納されている交通情報を、対車載器無線通信部１０１から送信する制御や、対車載器無線通信部１０１を介して発話型車載器２００から取得した情報（車載器ＩＤ等）を記憶装置１０３に格納する制御を行う。
【００３２】
また、制御部１０４は、記憶装置１０３に格納されている自機が取得した交通情報等を、対サーバ通信制御部１０２及びＩＴＳ通信網ＮＷ２を介して情報提供サーバ３００に送信し、また、情報提供サーバ３００から対サーバ通信制御部１０２を介して取得した情報（交通情報等）を記憶装置１０３に格納する制御を行う。
【００３３】
また、制御部１０４は、発話型車載器２００からアップリンクされた情報（車載器ＩＤ等）を、対車載器無線通信部１０１を介して取得し、記憶装置１０３に格納する。
【００３４】
ＲＯＭ１０５は、この路側無線装置１００全体の動作制御に必要なオペレーティングシステム（ＯＳ）や動作プログラムや各種のデータを記憶する。ＲＡＭ１０６は、制御部１０４のワークエリアとして機能する。
【００３５】
システムバス１０７は、上記各部の間で命令やデータを転送するための伝送経路である。
【００３６】
図３に示す発話型車載器２００は、車両に設置され、路側無線装置１００から送信された報知情報（交通情報等：ＴＴＳ用中間言語）を再生してユーザに報知（発話出力）する機能を備える。また、発話型車載器２００は、車載器ＩＤ等を路側無線装置１００に通知（アップリンク）する。
【００３７】
発話型車載器２００は、図３に示すように、通信部２０１、音声処理部２０２、操作部２０４、記憶部２０６、制御部２０７、ＲＯＭ２０８、ＲＡＭ２０９、システムバス２１０、および、スピーカ２２２を含む。
【００３８】
通信部２０１は、少なくとも、ＤＳＲＣモジュール２０１ａを含む。
【００３９】
ＤＳＲＣモジュール２０１ａは、路側無線装置１００との間でＤＳＲＣ方式により通信を行い、路側無線装置１００より供給（ダウンリンク）される報知情報を受信する。受信された報知情報は、記憶部２０６に記憶される。
【００４０】
音声処理部２０２は、記憶部２０６より制御部２０７を介して入力されたＴＴＳ（Ｔｅｘｔ  Ｔｏ  Ｓｐｅｅｃｈ）の中間言語（音声合成のためのテキストデータ：抑揚等の情報を含む）からなる報知情報をアナログオーディオ信号に変換して、スピーカ２２２に出力する。これにより、ユーザは路側無線装置１００から取得した報知情報（ＴＴＳの中間言語）を音声データ（発話出力）として聞くことができる。
【００４１】
また、音声処理部２０２は、制御部２０７から発話出力停止信号（リセット信号等）を受信すると、装置内部の制御部やメモリ等を初期状態に戻す。これにより、制御部２０７は、タイムラグを発生させることなく、瞬時に音声処理部２０２からの発話出力を停止することができる。なお、報知情報（音声データ）は、発話型車載器２００に内蔵されたスピーカ２２２以外に、車両に搭載されたオーディオシステムから出力するようにしても良い。
【００４２】
操作部２０４は、図４に示すように、例えば、発話型車載器２００の本体４００に設けられた再発話ボタン４０１やＳＫＩＰ（スキップ）ボタン４０２や取消ボタン４０３などから構成され、ユーザによる指示入力に基づいて指示入力信号を生成して、制御部２０７に入力する。
【００４３】
路側無線装置１００より供給（ダウンリンク）される報知情報の記憶部であると共に、所定の路側無線装置１００のＩＤを記憶するＩＤ記憶部でもある記憶部２０６は、ハードディスクドライブ（ＨＤＤ）を含み、各種設定情報などを記憶する。
【００４４】
また、記憶部２０６は、車両を識別するための車載器ＩＤ（発話型車載器ＩＤ）を予め記憶する。なお、車載器ＩＤは、路側無線装置１００と発話型車載器２００間のリンクを確立する際に送受信されるパケットや、発話型車載器２００がデータ（車載器ＩＤ等）を路側無線装置１００へアップリンクする際のパケット等または路側無線装置１００がデータ（報知情報等）を発話型車載器２００へダウンリンクする際のパケット等のヘッダ部に乗せられる車両を識別するためのＩＤである。
【００４５】
制御部２０７は、ＣＰＵ（Central Processing Unit）から構成され、発話型車載器２００全体の動作を制御する。
【００４６】
例えば、報知情報転送手段である制御部２０７は、発話型車載器２００と路側無線装置１００間のリンクが成立したタイミングすなわち車載器２００が路側無線装置１００の通信エリア内に位置するときに、通信部２０１（ＤＳＲＣモジュール２０１ａ）を制御し、記憶部２０６に記憶された車載器ＩＤ等を読み出して路側無線装置１００に送信（アップリンク）する。
【００４７】
また、制御部２０７は、通信部２０１（ＤＳＲＣモジュール２０１ａ）と、路側無線装置１００の対車載器無線通信部１０１とのリンクが成立したときに、ＤＳＲＣモジュール２０１ａを介して路側無線装置１００からの報知情報（ＴＴＳ用中間言語：路側無線装置ＩＤを含む）を受信（ダウンリンク）し、記憶部２０６に記憶した後、操作部２０４からの指示入力信号に基づき、所定の手順にて記憶部２０６に記憶された報知情報を読み出して、音声処理部２０２に転送する。また、制御部２０７は、発話出力停止信号（リセット信号等）を音声処理部２０２に送信することで、音声処理部２０２の発話出力を瞬時（タイムラグを発生させることなし）に停止させることができる。なお、制御部２０７は、コプロセッサ等を備えても良い。
【００４８】
さらに制御部２０７は、通信部２０１（ＤＳＲＣモジュール２０１ａ）と、路側無線装置１００の対車載器無線通信部１０１とのリンクが成立したときに、記憶部２０６に記憶された車載器ＩＤ等を読み出し、通信部２０１（ＤＳＲＣモジュール２０１ａ）を介して路側無線装置１００の対車載器無線通信部１０１に送信（アップリンク）する。
【００４９】
ＲＯＭ２０８は、発話型車載器２００全体の動作制御に必要なオペレーティングシステム（ＯＳ）のプログラムや動作プログラムや各種のデータを記録する。
【００５０】
ＲＡＭ２０９は、データやプログラムを一時的に記憶するためのもので、通信部２０１により取得されたデータ（報知情報）等を一時的に保持する。また、制御部２０７は、ＲＡＭ２０９をワークメモリとして使用する。
【００５１】
システムバス２１０は、上記各部を相互に接続し、命令やデータを転送するための伝送経路である。
【００５２】
情報提供サーバ３００は、複数の路側無線装置１００毎に、同一な情報や異なる情報となる交通情報を生成し配信すると共に、路側無線装置１００より送信される車載器ＩＤ等を受信する装置である。
【００５３】
この情報提供サーバ３００は、図５に示すように、入力部３０１、出力部３０２、一般網通信制御部３０３、対路側無線装置通信制御部３０４、記憶装置３０５、制御部３０６、ＲＯＭ３０７、ＲＡＭ３０８、およびシステムバス３０９を備える。
【００５４】
入力部３０１は、キーボード、マウス、入力インターフェース等の１つまたは複数を備え、種々のデータや指示を入力する。
【００５５】
出力部３０２は、表示装置などから構成され、データ、メッセージなどを表示する。
【００５６】
一般網通信制御部３０３は、電話回線、インターネット等の一般通信網ＮＷ１を介して外部装置と交信し、種々の情報を取得する。なお、情報提供サーバ３００としては、例えば、地域のサーバと中央のサーバとに分けるようにしても良い。このように区分けしたとすると、地域のサーバとは、例えば、峠迂回、トンネル手前、カーブ手前、山間部の気象急変箇所、路面凍結発生箇所等の障害発生箇所直近において、前項の道路状況を現地にて編集し、報知情報として車両（車載器）に提供するものである。
【００５７】
対路側無線装置通信制御部３０４は、ＩＴＳ通信網ＮＷ２を介して複数の路側無線装置１００に接続され、各路側無線装置１００に交通情報を送信したり、路側無線装置１００より送信される車載器ＩＤ等を受信する。
【００５８】
記憶装置３０５は、ハードディスク装置等の記憶手段を備え、種々の交通情報や路側無線装置１００が発話型車載器２００との交信などにより得た車載器ＩＤ等を格納する。また、記憶装置３０５は、各路側無線装置１００の位置情報（緯度・経度等）、アドレス等と共にその近傍の地理情報を記憶する。
【００５９】
制御部３０６は、プロセッサ等から構成され、情報提供サーバ３００全体の動作を制御する。また、制御部３０６は、記憶装置３０５に格納されている各種情報に基づいて、各路側無線装置１００毎に、その路側無線装置１００から配信すべき情報を作成し、対路側無線装置通信制御部３０４及びＩＴＳ通信網ＮＷ２を介して各路側無線装置１００に供給する。
【００６０】
ＲＯＭ３０７は、この情報提供サーバ３００全体の動作制御に必要なオペレーティングシステム（ＯＳ）や動作プログラムや各種のデータを記憶する。ＲＡＭ３０８は、制御部３０６のワークエリアとして機能する。システムバス３０９は、上記各部の間で命令やデータを転送するための伝送経路である。
【００６１】
なお、図１１に路側無線装置１００から発話型車載器２００へ送信される情報（データ）の一例を示す。
【００６２】
次に、本実施の形態における発話型道路交通情報提供装置（システム）における基本的な動作について説明する。なお、本実施の形態では、説明を簡単にするため、報知情報として、（１）ハイウェイラジオのような長文からなる一般交通情報、（２）地震等を知らせる災害情報、（３）合流注意情報や突発的な事故等を知らせる安全運転支援情報、の３つを例に説明し、報知の優先度は、災害情報→安全運転支援情報→一般交通情報の順であるとして説明するが、これらに限定されるものではない。
【００６３】
先ず、発話型車載器２００が、路側無線装置１００から報知情報を受信し、情報の優先度にしたがい、該情報の発話出力を行っている際に、再発話ボタン４０１が操作（押下）された場合における発話型道路交通情報提供装置（システム）の動作について、図６のフローチャートを参照して説明する。
【００６４】
まず、発話型車載器２００の制御部２０７は、路側無線装置１００より報知情報を受信したか否かを判断する（ステップＳ１）。受信が確認されなかった場合には、所定時間後にステップＳ１を再度行い、検出された場合には、処理をステップＳ２に移す。
【００６５】
ステップＳ２に移行すると、制御部２０７は、受信した情報の優先度にしたがい、情報の発話出力を行い処理をステップＳ３に移す。
【００６６】
ステップＳ３に移行すると、制御部２０７は、操作部２０４の操作（再発話ボタン４０１の押下）が行われたか否かを判断し、操作が行われたと判断された場合には、処理をステップＳ４に移し、発話出力停止信号を音声処理部２０２に出力した後、当該報知情報（操作部が操作されたときに発話出力の行われていた報知情報）を、記憶部２０６より頭から読み出して音声処理部２０２に転送（再発話）し、処理をステップＳ６に移す。
【００６７】
ステップＳ６に移行すると、制御部２０７は、次に発話出力される報知情報があるか否かを判断する。次に発話出力すべき報知情報が無いと判断された場合には、処理をステップＳ１にもどし、路側無線装置１００からの次の報知情報の受信を待つ。一方、次に発話出力すべき報知情報が有ると判断された場合には、処理をステップＳ７に移し、当該報知情報の発話出力を開始し、処理をステップＳ３にもどす。
【００６８】
一方、ステップＳ３にて、操作部の操作が行われなかったと判断された場合には、処理をステップＳ５に移し、当該報知情報の発話出力が終了したか否かを判断する。終了していないと判断された場合には処理をステップＳ３に戻し、終了したと判断された場合には処理をステップＳ６に移す。
【００６９】
制御部２０７は、以上の処理（ステップＳ１〜Ｓ７）を、発話型車載器２００の電源が落とされるまで、継続して行う。
【００７０】
次に、発話型車載器２００が、路側無線装置１００から報知情報を受信し、報知情報の優先度にしたがい、該報知情報の発話出力を行っている際に、再発話ボタン４０１が操作（押下）された場合であって、記憶部２０６に発話出力の行われていない安全運転支援情報が記憶されていた場合における発話型道路交通情報提供装置（システム）の動作について、図７のフローチャートを参照して説明する。
【００７１】
まず、発話型車載器２００の制御部２０７は、路側無線装置１００より報知情報を受信したか否かを判断する（ステップＳ１０）。受信が確認されなかった場合には、所定時間後にステップＳ１０を再度行い、検出された場合には、処理をステップＳ１１に移す。
【００７２】
ステップＳ１１に移行すると、制御部２０７は、受信した情報の優先度にしたがい、情報の発話出力を行い処理をステップＳ１２に移す。
【００７３】
ステップＳ１２に移行すると、制御部２０７は、操作部２０４の操作（再発話ボタン４０１の押下）が行われたか否かを判断し、操作が行われていないと判断された場合には、処理をステップＳ１３に移す。
【００７４】
ステップＳ１３に移行すると、制御部２０７は、当該報知情報の発話出力が終了したか否かを判断し、終了していないと判断された場合には、処理をステップＳ１２に戻し、終了したと判断された場合には、処理をステップＳ１４に移す。
【００７５】
ステップＳ１４に移行すると、制御部２０７は、次に発話出力される報知情報があるか否かを判断し、無い場合には処理をステップＳ１０に戻し、ある場合には処理をステップＳ１５に移す。
【００７６】
ステップＳ１５に移行すると、制御部２０７は、当該報知情報の発話出力を開始し、処理をステップＳ１２に戻す。
【００７７】
一方、前述のステップＳ１２にて、制御部２０７により、操作部２０４の操作（再発話ボタン４０１の押下）が行われたと判断された場合には、処理をステップＳ２０に移す。
【００７８】
ステップＳ２０に移行すると、制御部２０７は、記憶部２０６に記憶され、いまだ発話出力の行われていない報知情報の中に、安全運転支援情報が含まれているか否かを判断する。含まれていないと判断された場合には、処理をステップＳ１６に移す。
【００７９】
ステップＳ１６に移行すると、制御部２０７は、発話出力停止信号を音声処理部２０２に出力した後、現在発話出力の行われている情報（操作部が操作されたときに発話出力の行われていた報知情報）を、記憶部２０６より頭から読み出して音声処理部２０２に転送（再発話）し、音声処理部２０２は転送された報知情報を発話出力（再発話）し、処理をステップＳ１８に移す。
【００８０】
ステップＳ１８に移行すると、制御部２０７は、次に発話出力される報知情報があるか否かを判断し、無い場合には処理をステップＳ１０に戻し、ある場合には処理をステップＳ１９に移す。
【００８１】
ステップＳ１９に移行すると、制御部２０７は、当該報知情報の発話出力を開始し、処理をステップＳ１２に戻す。
【００８２】
一方、前述のステップＳ２０にて、安全運転支援情報が含まれていると判断された場合には、処理をステップＳ２１に移す。
【００８３】
ステップＳ２１に移行すると、制御部２０７は、現在発話出力中の報知情報の出力を停止（発話出力停止信号を音声処理部２０２に出力）し、記憶部２０６に記憶される安全運転支援情報を頭から読み出して音声処理部２０２に転送する。音声処理部２０２は転送された安全運転支援情報の発話出力を行い、処理をステップＳ１７に移す。
【００８４】
ステップＳ１７に移行すると、制御部２０７は、前述のステップＳ２１にて発話出力を停止した報知情報を、記憶部２０６より頭から読み出して音声処理部２０２に転送し、音声処理部２０２は転送された報知情報を発話出力（再発話）し、処理をステップＳ１８に移す。
【００８５】
制御部２０７は、以上の処理（ステップＳ１０〜Ｓ２１）を、発話型車載器２００の電源が落とされるまで、継続して行う。
【００８６】
次に、発話型車載器２００が、路側無線装置１００から報知情報を受信し、報知情報の優先度にしたがい、該報知情報の発話出力を行っている際に、再発話ボタン４０１が操作（押下）された場合であって、他の路側無線装置１００より災害情報および／または安全運転支援情報を受信した場合における発話型道路交通情報提供装置（システム）の動作について、図８のフローチャートを参照して説明する。なお、図８のフローチャートにおけるステップＳ３０〜Ｓ３９までの処理は、図７のフローチャートにおけるステップＳ１０〜Ｓ１９までの処理と同一であるので、説明は省略する。
【００８７】
ステップＳ３２において、制御部２０７により、操作部２０４の操作（再発話ボタン４０１の押下）が行われたか否かが判断される。操作が行われたと判断された場合には、処理をステップＳ４０に移し、制御部２０７により、他の路側無線装置１００から受信した報知情報に災害情報および／または安全運転支援情報が含まれるか否かが判断される。含まれていないと判断された場合には処理をステップＳ３６に移し、含まれていると判断された場合には、処理をステップＳ４１に移す。
【００８８】
ステップＳ４１に移行すると、制御部２０７は、現在発話出力中の報知情報の出力を停止（発話出力停止信号を音声処理部２０２に出力）し、受信され記憶部２０６に記憶された災害情報および／または安全運転支援情報を頭から読み出して音声処理部２０２に転送し、音声処理部２０２は転送された災害情報または安全運転支援情報を発話出力する。ステップＳ３７に移行すると、前述のステップＳ４１にて発話出力を停止した報知情報を、記憶部２０６より頭から読み出して音声処理部２０２に転送し、音声処理部２０２は転送された報知情報を発話出力（再発話）し、処理をステップＳ３８に移す。
【００８９】
制御部２０７は、以上の処理（ステップＳ３０〜Ｓ４１）を、発話型車載器２００の電源が落とされるまで、継続して行う。
【００９０】
次に、発話型車載器２００が、路側無線装置１００から報知情報を受信し、情報の優先度にしたがい、該情報の発話出力を行っている際に、取消ボタン４０３が操作（押下）された場合における発話型道路交通情報提供装置（システム）の動作について、図９のフローチャートを参照して説明する。
【００９１】
まず、発話型車載器２００の制御部２０７は、路側無線装置１００より報知情報を受信したか否かを判断する（ステップＳ５１）。受信が確認されなかった場合には、所定時間後にステップＳ５１を再度行い、検出された場合には、処理をステップＳ５２に移す。
【００９２】
ステップＳ５２に移行すると、制御部２０７は、受信した情報の優先度にしたがい、情報の発話出力を行い処理をステップＳ５３に移す。
【００９３】
ステップＳ５３に移行すると、制御部２０７は、操作部の操作（取消ボタン４０３の押下）が行われたか否かを判断し、操作が行われたと判断された場合には、処理をステップＳ５４に移し、当該報知情報（操作部が操作されたときに発話出力の行われていた報知情報）の発話出力を中断（発話出力停止信号を音声処理部２０２に出力）し、処理をステップＳ５６に移す。
【００９４】
ステップＳ５６に移行すると、制御部２０７は、次に発話出力される報知情報があるか否かを判断する。次に発話出力すべき報知情報が無いと判断された場合には、処理をステップＳ５１にもどし、路側無線装置１００からの次の報知情報の受信を待つ。一方、次に発話出力すべき報知情報が有ると判断された場合には、処理をステップＳ５８に移し、次の優先度を有する報知情報の発話出力を行って、処理をステップＳ５３にもどす。
【００９５】
一方、ステップＳ５３にて、操作部の操作が行われなかったと判断された場合には、処理をステップＳ５５に移し、当該報知情報の発話出力を継続して行い、処理をステップＳ５７に移す。
【００９６】
ステップＳ５７に移行すると、制御部２０７は、当該報知情報の発話出力が終了したか否かの判断を行い、終了したと判断された場合には、処理をステップＳ５６に移し、終了していないと判断された場合には、処理をステップＳ５３にもどす。
【００９７】
制御部２０７は、以上の処理（ステップＳ５１〜Ｓ５８）を、発話型車載器２００の電源が落とされるまで、継続して行う。
【００９８】
次に、発話型車載器２００が、優先度の高い報知情報（災害情報や安全運転支援情報）を発話出力中に、操作部の操作（取消ボタンの押下）が行われた場合には、以降、一般交通情報の発話出力を行わないよう動作する発話型道路交通情報提供装置（システム）について、図１０のフローチャートを参照して説明する。なお、図１０のフローチャートにおけるステップＳ６１〜Ｓ６７までの処理は、図６のフローチャートにおけるステップＳ５１〜Ｓ５７までの処理と同一であるので、説明は省略する。
【００９９】
ステップＳ６６において、制御部２０７により、次に発話出力される報知情報が有ると判断されると、ステップＳ６８にて、当該報知情報（次に発話出力される報知情報）が、一般交通情報であるか否かが判断される。一般交通情報で無いと判断された場合には、処理をステップＳ６９に移し、当該報知情報の発話出力が行われ、処理をステップＳ６３に移す。一方、ステップＳ６８にて、一般交通情報であると判断された場合には、処理をステップＳ７０に移し、当該報知情報を破棄し、処理をステップＳ６６に移す。
【０１００】
制御部２０７は、以上の処理（ステップＳ６１〜Ｓ７０）を、発話型車載器２００の電源が落とされるまで、継続して行う。
【０１０１】
以上、本発明の実施の形態について説明したが、本発明はこれに限られるものではない。例えば、狭域通信ではなく、中域通信等、他の通信方式を採用してもよい。
【０１０２】
また、報知情報の発話出力中に、再発話ボタン４０１が操作された場合、他の路側無線装置１００より災害情報を受信していなければ、当該報知情報の頭から、再度再発話を行うようにしても良い。もちろん、災害情報の受信の有無に関わらず、再出力（再発話）を行うようにしても良い。
【０１０３】
また、記憶部２０６に記憶された全ての報知情報の発話出力終了後、所定時間経過した後に、再発話ボタン４０１の操作が行われた場合、記憶部２０６に残っている複数の報知情報のうち、報知情報の一つである安全運転支援情報を除いた報知情報を、優先度にしたがい再出力（再発話）するようにしても良い。これは、安全運転支援情報は、タイミングを逃すと、あまり意味がなくなるためである。あるいは、最後に出力された安全運転支援情報以外の報知情報のみを出力するようにしても良い。
【０１０４】
また、優先度にしたがって所定の報知情報を発話出力している間に、再発話ボタン４０１が押下された場合であって、記憶部２０６に発話出力の行われていない安全運転支援情報が記憶されていた場合、制御部２０７は、当該報知情報の発話出力を中断し、安全運転支援情報を優先して発話出力し、その後、上記中断した報知情報を最初から発話出力するようにしても良い。なお、安全運転支援情報が有る場合には、再発話指示が有った際に、当該報知情報をスキップして、安全運転支援情報を先に出力した後、前述のスキップした報知情報を頭から発話出力させると、時間が短縮される効果が有る。
【０１０５】
また、優先度にしたがって所定の報知情報を発話出力している間に、再発話ボタン４０１が押下された場合であって、他の路側無線装置１００より災害情報および／または安全運転支援情報を受信した場合、制御部２０７は、当該報知情報の発話出力を中断し、災害情報および／または安全運転支援情報を優先して発話出力し、その後、上記中断した報知情報を最初から発話出力するようにしても良い。なお、再発話の指示は受け付けられているが、他の情報を発話出力中のため、即座に再発話ができない場合には、装置（発話型車載器２００）に、別途、ＬＥＤ等を設け、それを点滅等させることにより、ユーザにその状況を知らせるようにしても良い。
【０１０６】
また、一般交通情報発話出力時（長文発話時）に安全運転支援情報を受信し、長文発話が中断された際に、長文全体の初めから発話出力させるためのＳＫＩＰボタン４０２を設けるようにしても良い。あるいは、ＴＴＳ中間言語の句読点を判断して、中断された長文発話を、ユーザ所望の位置から再発話可能とする機能を設けても良い。
【０１０７】
また、例えば最後に路側無線装置１００から受信した報知情報は、記憶部２０６に記憶させ、ユーザにより、どのようなタイミングでも再発話可能としておいても良い。例えば、ＴＴＳは、データサイズがコンパクトであることから、受信したタイムスタンプと共にＴＴＳ中間言語を記憶しておき、後から任意に検索して発話可能とすることができる。
【０１０８】
また、路側無線装置１００から受信した報知情報の再発話指示が出された場合において、所定時間経過後（例えば５分）に、報知情報が複数ある場合には、優先度の順に全て発話出力させるようにしても良い。あるいは、安全運転支援情報は、当該場所から離れると意味がなくなるので、災害情報や一般交通情報に限定して発話出力させるようにしても良い。
【０１０９】
また、発話型車載器２００と、例えば電子コンパス等とを組み合わせて車線の上下線を判別し、誤っている（例えば、自車両が上り線を走行中に下り線用の報知情報を受信した等）場合には、当該報知情報を破棄（例えば、記憶部２０６から削除）し、正しい報知情報のみを、再発話指示があったときに出力するようにしても良い。
【０１１０】
また、安全運転支援情報や他の路側無線装置１００を考慮して再発話を行うようにしたり、最後に出力された報知情報だけでなく、最後に受信されたデータ群（複数のデータ）の出力を可能としても良い。例えば、ＳＫＩＰボタン４０２を利用して、データ（報知情報）を遡ることを可能としても良い。
【０１１１】
また、全ての報知情報の発話出力が終了している状態において、再発話ボタン４０１が操作された場合には、最後に出力された報知情報を出力するようにしてもよいし、記憶部２０６に記憶された報知情報を、優先度にしたがって順次出力するようにしてもよい。この場合、安全運転支援情報を除いた報知情報は出力しないようにしても良い。
【０１１２】
また、報知情報の再発話中に取消ボタンが操作された場合には、当該報知情報の再発話を取り消す（行わない）ようにしても良い。
【０１１３】
また、音声処理部２０２の内部メモリのデータ容量が大きい場合には、操作部（再発話ボタン）２０４の操作に基づいて、制御部２０７が発話出力停止信号を音声処理部２０２に送信した（発話出力を停止させた）後、音声処理部２０２のメモリに蓄えられている情報を再発話させるようにしても良い。
【０１１４】
さらに、本実施の形態は、自車両の位置情報データや方向データを入手できない装置（発話型車載器２００）において利用されることが好ましいが、ポータブル型の簡易ナビゲーション装置等と接続された発話型車載器およびナビゲーション装置と接続されたＩＴＳ車載器（少なくとも、制御部２０７に対して車両の位置情報や走行方位情報を通知するナビゲーション装置と接続された構成、または、ナビゲーション装置に組み込まれた構成の車載器）にも適用可能である。また、各実施の形態では、ＤＳＲＣ方式を使用しているが、他の無線方式を採用しても良い。さらに、各実施の形態では、報知情報を優先度にしたがって報知しているが、優先度の無い情報にも本発明を適用することができる。
【０１１５】
また、上述の実施の形態の道路交通情報提供システムが持つ各構成ブロックの機能は、全てまたはその一部をソフトウェアによって実現しても、あるいはその少なくとも一部をハードウェアで実現しても良い。例えば、制御部１０４，２０７，および３０６における処理の全部またはその一部は、１又は複数のプログラムによりコンピュータ上で実現しても良く、また、その少なくとも一部をハードウェアで実現しても良い。
【０１１６】
また、上記実施の形態はあくまでも説明のためのものであり、本発明の範囲を限定するものではない。例えば、車載器２００を装置の全部又は一部として動作させるためのコンピュータプログラムを、メモリカード、ＣＤ−ＲＯＭ、ＤＶＤ、ＭＯ（Magneto Optical Disk）などのコンピュータ読み取り可能な記録媒体に格納して配布し、これを別のコンピュータ、例えば、携帯電話、オーディオ機器、電子時計などにインストールし、車載器２００として動作させ、あるいは、車載器２００が行う工程を実行させてもよい。さらに、インターネット上のサーバ装置が有するディスク装置等にプログラムを格納しておき、例えば、搬送波に重畳させて、車載器２００となるコンピュータにダウンロード等するものとしてもよい。
【図面の簡単な説明】
【０１１７】
【図１】本発明の実施の形態に係る道路交通情報提供システムの全体構成を説明するための図である。
【図２】図１に示される道路交通情報提供システムに使用される路側無線装置の構成例を示す図である。
【図３】図１に示される道路交通情報提供システムに使用される発話型車載器の構成を説明するための図である。
【図４】図３に示される発話型車載器の概観の一例を示す図である。
【図５】図１に示される道路交通情報提供システムに使用される情報提供サーバ（管理サーバ）の構成を説明するための図である。
【図６】図１の道路交通情報提供システムで実行される処理手順の１例を示すもので、発話型車載器が、路側無線装置から報知情報を受信し、情報の優先度にしたがい、情報の発話出力を行っている際に、再発話ボタンが押下された場合における処理手順（動作）の一例を説明するためのフローチャートである。
【図７】図１の道路交通情報提供システムで実行される処理手順の他の例を示すもので、発話型車載器が、路側無線装置から報知情報受信し、報知情報の優先度にしたがい、報知情報の発話出力を行っている際に、再発話ボタンが操作された場合であって、記憶部に発話出力の行われていない安全運転支援情報が記憶されていた場合における処理手順（動作）の一例を説明するためのフローチャートである。
【図８】図１の道路交通情報提供システムで実行される処理手順のさらに他の例を示すもので、発話型車載器が、路側無線装置から報知情報受信し、報知情報の優先度にしたがい、報知情報の発話出力を行っている際に、再発話ボタンが操作された場合であって、他の路側無線装置より災害情報および／または安全運転支援情報を受信した場合における処理手順（動作）の一例を説明するためのフローチャートである。
【図９】図１の道路交通情報提供システムで実行される処理手順の他の例を示すもので、発話型車載器が、路側無線装置から報知情報を受信し、情報の優先度にしたがい、情報の発話出力を行っている際に、取消ボタンが押下された場合における処理手順（動作）の一例を説明するためのフローチャートである。
【図１０】図１の道路交通情報提供システムで実行される処理手順の他の例を示すもので、発話型車載器が、優先度の高い報知情報を発話出力中に、取消ボタンの押下が行われた場合には、以降、一般交通情報の発話出力を行わないようにする処理手順（動作）の一例を説明するためのフローチャートである。
【図１１】路側無線装置から発話型車載器へ送信される情報（データ）の一例を示した図である。
【符号の説明】
【０１１８】
１００  路側無線装置
１０１  対車載器無線通信部
１０２  対サーバ通信制御部
１０３  記憶装置
１０４  制御部
２００  発話型車載器（発話型道路交通情報提供装置）
２０１  通信部
２０１ａ  ＤＳＲＣモジュール
２０２  音声処理部
２０４  操作部
２０６  記憶部（車載器ＩＤ記憶手段）
２０７  制御部
２２２  スピーカ
３００  情報提供サーバ（管理サーバ）
３０３  一般網通信制御部
３０４  対路側無線装置通信制御部
３０５  記憶装置
３０６  制御部
４００  発話型車載器の本体
４０１  再発話ボタン
４０２  ＳＫＩＰボタン
４０３  取消ボタン
ＮＷ１  一般通信網
ＮＷ２  ＩＴＳ通信網
【図１】
2009151716.tif 000003
【図２】
2009151716.tif 000004
【図３】
2009151716.tif 000005
【図４】
2009151716.tif 000006
【図５】
2009151716.tif 000007
【図６】
2009151716.tif 000008
【図７】
2009151716.tif 000009
【図８】
2009151716.tif 000010
【図９】
2009151716.tif 000011
【図１０】
2009151716.tif 000012
【図１１】
2009151716.tif 000013